(57)【要約】【課題】門扉錠の施解錠操作機構の構造を簡単にする。【解決手段】門扉錠のラッチ部及び内部のロックレバーを水平方向に貫通する異形断面の操作軸１７と、上記ラッチ部を挟んで門扉の内外面に装着される外側及び内側の一対のエスカチオン２２と、外側及び内側エスカチオンの操作軸の延長部と交差する部位に夫々独立して回動可能に、かつ相互に連接して装着された内側の第１プラグ２３、及び外端面が外部空間に露呈する外側の第２プラグ２４とを有し、操作軸の両端を夫々第１プラグ２３に連結すると共に、第２プラグ２４を貫通して第１プラグに致る異形断面の連結孔を各エスカチオンの第１及び第２プラグの組に形成する。【選択図】　図４
2004036296.tif 000002
【特許請求の範囲】
【請求項１】
門扉又は門柱の一方に装着される門扉錠のラッチ部及び内部のロックレバーを水平方向に貫通する異形断面の操作軸と、上記ラッチ部を挟んで門扉又は門柱の一方の内外面に装着される外側及び内側の一対のエスカチオンと、外側及び内側エスカチオンの操作軸の延長部と交差する部位に夫々独立して回動可能に、かつ相互に連接して装着された内側の第１プラグ、及び外端面が外部空間に露呈する外側の第２プラグとを有し、操作軸の両端を夫々第１プラグに連結すると共に、第２プラグを貫通して第１プラグに致る異形断面の連結孔を各エスカチオンの第１及び第２プラグの組に形成したことを特徴とする門扉錠の施解錠操作機構。
【請求項２】
上記第２プラグをラッチ部の施錠及び解錠に対応する角度位置に準安定的に係止するクリック装置を設けたことを特徴とする請求項１記載の門扉の施解錠操作機構。
【請求項３】
上記連結孔の断面形状をシリンダ錠の鍵孔のそれと同一にしたことを特徴とする請求項１に記載の門扉錠の施解錠操作機構。
【発明の詳細な説明】
【０００１】
【発明の属する技術分野】
この発明は、伸縮させて開け閉めを行うアコーデオン扉等の門扉に装着される門扉錠の施解錠操作機構（以下単に操作機構という）に係り、特に、構造が簡単でコストを減少させ得る操作機構に関する。
【０００２】
【従来の技術】
本出願人は、先に、登録新案第２，１２６，８２２号を以て、新規な門扉の掛金装置及びそのロック装置を提案した。
【０００３】
この掛金装置は、図１及び図２に示すように、門扉１及び門柱２の何れか一方（図示の実施例では門扉１）に取り付けられるラッチ部３と、他方に取り付けられ、水平なバー４（図２参照）を備えたストライク５とからなる。
【０００４】
そして、上記ラッチ部３は、図２に示すように、第１及び第２の一対のフック６、７を備え、これらはストライクのバー４に係合する鉤状部を夫々有する。
【０００５】
また、これら第１及び第２フック６、７の先端の鉤状部は、先端を相互に対向させて外縁がＶ字形を形成するようにすると共に、第１フック６の中段部に鉤状部とほぼ平行にかつ一体に突設された細長い第１連結部８に開口した長孔９と、第２フック７の中段部において第１連結部８と対称的に突設された第２連結部１１の先端に植設されたピン１２とを相互に係合させてある。
【０００６】
更にまた、第１及び第２フック６、７は各基端を支軸１３によって回動自在に支承されると共に、基端部に巻装されたねじりコイルばねとしてのフックばね１４の弾力により、鉤状部の先端が相互に近接して閉じる方向に付勢されている。
【０００７】
上記のように構成された従来の掛金装置は、門扉が閉じるとき、バー４とフック６、７との係合によって生じる楔作用により、図２において鎖線で示すように、フック６、７の先端部が拡開してバー４がフックの鉤状部を通過し、その後フックばね１４の弾力によってフックが閉じるので、バー４が自動的にフックに掴持されて門扉１が門柱に係止される。
【０００８】
また、上記の掛金装置には、図２に示すように、ロックレバー１５が配設されており、このロックレバー１５は、中央部を回動自在に支承され、一端（図２では長い方のアームの先端）が実線で示す角度位置をとるとき、例えば第１フック６の基端部に選択的に衝接して第１フック６及びこれに連結された第２フック７をロックできる構造である。
【０００９】
このロックレバー１５の中央部には図に示すように異形穴１６（図２では方形穴）が開口しており、図３に示すように、ラッチ部３を厚さ方向（水平方向）に貫通してこの異形穴１６に挿通される異形断面の操作軸１７の外端にはシリンダ錠１８が、内端にはクラッチ１９を介してサムターン２１が夫々装着される。
【００１０】
そして、従来の掛金装置は、門扉の外側からはシリンダ錠の合鍵により施解錠され、内側からはサムターンによって施解錠操作が行われるのが通常であり、この門扉錠の構造及び施解錠操作は、通常の扉口におけるそれと同じである。
【００１１】
【発明が解決しようとする課題】
上記した従来の掛金装置は、勿論その機能を確実に発揮して実用されているが、通常、門扉のロックは扉口のそれのように厳重にしなくてもよいものであり、シリンダ錠やクラッチを介してのサムターンへの連結は鶏を割くに牛刀を用いるようなもので、そのため掛金装置の構造が複雑になり、また、製造コストも上昇する、等未だ改良の余地がある。
【００１２】
また、図１からも明らかなように、門扉１の外側から内側に手を差し入れて内側のサムターンを操作することは極めて容易であるので、シリンダ錠を門扉錠の操作機構に装着したとしてもそれは飾り物に過ぎず、従来の門扉錠は実際には防犯性が低い、等の不都合もある。
【００１３】
そこで、この発明は、必要にして充分な構造の門扉錠の施解錠操作機構を提案し、以て掛金装置の製造コストを下げると共に、上記した不都合を解消することを目的としている。
【００１４】
【課題を解決するための手段】
上記の目的を達成するため、請求項１に記載の発明は、門扉又は門柱の一方に装着される門扉錠のラッチ部及び内部のロックレバーを水平方向に貫通する異形断面の操作軸と、上記ラッチ部を挟んで門扉又は門柱の一方の内外面に装着される外側及び内側の一対のエスカチオンと、外側及び内側エスカチオンの操作軸の延長部と交差する部位に夫々独立して回動可能に、かつ相互に連接して装着された内側の第１プラグ、及び外端面が外部空間に露呈する外側の第２プラグとを有し、操作軸の両端を夫々第１プラグに連結すると共に、第２プラグを貫通して第１プラグに致る異形断面の連結孔を各エスカチオンの第１及び第２プラグの組に形成したことを特徴とする。
【００１５】
また、請求項２に記載の発明は、上記第２プラグをラッチ部の施錠及び解錠に対応する角度位置に準安定的に係止するクリック装置を設けたことを特徴とする。
【００１６】
更にまた、請求項３に記載の発明は、上記連結孔の断面形状をシリンダ錠の鍵孔のそれと同一にしたことを特徴とする。
【００１７】
【実施例】
以下、この発明の実施例を図４乃至図９を参照して説明する。
図４において符号１７は前記ロックレバーの操作軸（図３参照）を、符号２２は図示しないラッチ部を挟んで門扉又は門柱の一方（図示の実施例では門扉）の内外面に装着されるエスカチオンを夫々示す。
【００１８】
なお、図示の実施例では、操作機構はラッチ部に関し内外対称に設けられているので、図４では符号を外側のものにのみ付するものとする。また、図４で符号Ｋは外側を、符号Ｎは内側を夫々示す。
【００１９】
上記エスカチオン２２と操作軸１７の延長部とが交差する部位には、内側（ラッチ部側）の第１プラグ２３と外側の第２プラグ２４とが夫々独立して回動可能に、かつ相互に連接して装着されている。
【００２０】
上記第１プラグ２３は、図５及び図６に示すように、大体の形状が段付の円柱体で、その小径内端部に同軸に形成された角穴２５（図６参照）を操作軸の先端に嵌合させることにより（図４参照）、操作軸１７に一体的に連結されている。
【００２１】
また、第２プラグ２４は、図７及び図８に示すように、大体の形状が角柱と円柱とを連接した形状で、その円柱部をエスカチオン２２に回転可能に支承させている。
【００２２】
そして、この第２プラグ２４には、図７及び図８に示すように、その回転軸線に沿ってこれを貫通する異形断面の連結孔２６が形成されている。
【００２３】
図示の実施例では、この連結孔２６の断面形状はシリンダ錠の鍵孔のそれと同一に設定されている。この連結孔２６の断面形状として、例えば扉口に装着されているシリンダ錠のそれと同一にするとよい。
【００２４】
一方、第２プラグ２４に連接する第１プラグ２３の外端部には、図５及び図６に示すように、断面十字形の中心部をくり抜いて広げた形状の異形断面の連結孔２６が形成されている。
【００２５】
この第１プラグ２３の連結孔２６の断面形状は、第２プラグの連結孔２６に挿入された、この連結孔２６と同一断面のシリンダ錠の合鍵２７（図４参照）が内接できる形状であるが、第１プラグ２３の断面形状と同一にしてもよい。
【００２６】
図示の実施例では、第１プラグ２３の連結孔の断面形状は、合鍵２７が第２プラグ２４に縦差しされても（図７参照）、また、横差しされても合鍵が第１プラグの連結孔２６に挿入できてこれと形状係合できるようになっており、その意義については後に述べる。
【００２７】
なお、図４において符号２８は保護筒を示し、この保護筒２８は、錠箱とエスカチオンの間に工具などをこじ入れて操作軸１７を悪戯されないように設けられているが、この発明の必須の構成要件ではない。
【００２８】
また、図４及び図９において符号２９はクリック体を示し、このクリック体２９は例えば一端が閉じた薄肉筒体で、圧縮コイルばねとしてのクリックばね３１の弾力により、第２プラグ２４の角柱部に弾接されている。
【００２９】
更にまた、図２に示すロックレバー１５は施錠角度位置と解錠角度位置が９０度ずれているものとし、何れの角度位置でも、図９に示すように、第２プラグ２４の角柱部はクリック体２９と水平な平面部で接合するように、各部の寸法、形状が設定されているものとする。
【００３０】
なお、図９で符号３２は閉じた第１及び第２フック６、７を拡開してラッチ部３をストライク部５（図２参照）から解放するものである。
【００３１】
上記のように構成されたこの発明による操作機構は、ロックレバー１５（図２参照）の作動角度を９０度とし、このロックレバー１５に連結された操作軸１７は、ラッチ部３の施解錠状態に応じて所定の角度位置を取っている。
【００３２】
例えば家人が施錠されているラッチ部を解錠して外出する場合、内側のエスカチオンの第２プラグ２４の連結孔に合鍵２７を挿入する。この合鍵として、扉口のシリンダ錠の合鍵を挿入するものとしてもよいし、或いは門扉専用の合鍵を用意してもよい。
【００３３】
また、扉口のシリンダ錠の合鍵を利用する場合には、当然この合鍵のブレードには鍵溝が形成されているが、門扉専用の合鍵の場合には、鍵溝を形成する必要はない。
【００３４】
上記したように内側のエスカチオンの連結孔２６に合鍵２７を挿入すると、その先端部は第２プラグ２４を挿通して第１プラグ２３の連結孔２６に致る。
【００３５】
前記したように第１プラグ２３の連結孔は縦差しの合鍵でも横差しの合鍵でもこれと係合するから、第２プラグ２４の角度位置に拘らず合鍵は連結孔２６に挿入され、第１及び第２プラグ２３、２４は合鍵２７を介して一体に連結される。
【００３６】
その結果、合鍵は第１及び第２プラグ２３、２４及び操作軸１７を介してロックレバー１５に連結されるから、合鍵２７を時計方向或いは反時計方向の何れかに回動させることによりラッチ部の施解錠を行うことができる。
【００３７】
そして、例えば施錠されていた扉錠を解錠し、レバーハンドル３２を回してフック６、７を拡開してこれらをストライクから外し、門扉を開けて外に出る。
【００３８】
再び門扉を閉じると、前記したフックとストライクとの係合により自動的に門扉がストライク５に係止される。
【００３９】
再びラッチ部３を施錠する場合には、今度は外側のエスカチオンの第２プラグに合鍵を差し入れ、同様にして合鍵を回し、ロックレバー１５を図２に示す施錠角度位置に戻した後外出する。
【００４０】
一方、合鍵ではなく例えばマイナスドライバーの先端等、第２プラグ２４のみを駆動できるものを合鍵として使用する場合、第１及び第２プラグ２３、２４は接合部で滑ってしまって第１プラグ２３は動かず、したがってラッチ部が解錠されないことは言うまでもない。
【００４１】
また、外出から帰ってきて門扉から敷地内に入る場合には、上記した操作を内外逆に行えばよい。
【００４２】
なお、この発明は図示の実施例に限定されず、種々に変形して実施することができる。
【００４３】
例えば、ロックレバー１５の作動角度位置が９０度の場合、連結孔２６の断面形状を方形にすれば、方形断面の角棒を合鍵とすれば、第２プラグ２４の角度位置に拘らず連結孔２６は両プラグにわたって同じものとなるから、通常は用意しにくい角棒を用いてこの発明を実施することができる。
【００４４】
また、同様の理由により、ロックレバー１５の作動角度が６０度の場合には六角棒を、４５度の場合には八角棒を夫々合鍵として用いることができる。
【００４５】
【発明の効果】
以上の説明から明らかなように、この発明は、第１及び第２プラグを合鍵によって連結するから、外側の第２プラグのみを駆動する他の操作部材によっては施解錠できない、という所期の効果を奏する。
【００４６】
また、シリンダ錠やクラッチなどの複雑な構造の部材を必要としないから、操作機構としての構造が簡単になり、製造コストも下げることができる。
【００４７】
更にまた、シリンダ錠及びサムターンを用いる従来の操作機構は、門扉を越えて手を門扉内に差し入れてサムターンを操作でき、したがって不正な施解錠ができるが、この発明では敷地外からの操作と同じに簡単ではあっても合鍵を必要とするから、門扉錠としての防犯性が向上する、等種々の効果を奏する。
【図面の簡単な説明】
【図１】アコーデオン扉の概要を示す側面図。
【図２】従来の掛金装置の実施例を門扉の開放状態で示す縦断側面図。
【図３】従来の操作機構の一例を示す線図的一部断面正面図。
【図４】この発明による操作機構の一例を示す断面図。
【図５】第１プラグの正面図。
【図６】その縦断面図。
【図７】第２プラグの正面図。
【図８】その縦断面図。
【図９】エスカチオンの裏面図。
【符号の説明】
１　門扉
２　門柱
３　ラッチ部
４　バー
５　ストライク部
６　第１フック
７　第２フック
８　第１連結部
９　長孔
１１　第２連結部
１２　ピン
１３　支軸
１４　フックばね
１５　ロックレバー
１６　異形穴
１７　操作軸
２２　エスカチオン
２３　第１プラグ
２４　第２プラグ
２５　角穴
２６　連結孔
２７　合鍵
２９　クリック体
３１　クリックばね
【図１】
2004036296.tif 000003
【図２】
2004036296.tif 000004
【図３】
2004036296.tif 000005
【図４】
2004036296.tif 000006
【図５】
2004036296.tif 000007
【図６】
2004036296.tif 000008
【図７】
2004036296.tif 000009
【図８】
2004036296.tif 000010
【図９】
2004036296.tif 000011